(57)【要約】      （修正有）【課題】第１ローラーに巻き取られる粘着シートの量及び第２ローラーに巻き取られる粘着シートの量のバランスが変化しても、第１ローラーと第２ローラーとの間にかけわたされた粘着シートが弛んだり逆に引き延ばされることがない清掃具を提供する。【解決手段】粘着シートを粘着面が外面を形成するように一端側から巻き取る第１軸３１を中心に回転自在に支持される第１ローラー４１と、他端側から巻き取る第２軸３３を中心に回転自在に支持される第２ローラー４３と、第３軸を中心に回転自在に支持され第３軸６３ａを軸とする回転面である当接面を有する伝達体６５ａであって、第１ローラーに巻き取られる粘着シートの外面と第２ローラーに巻き取られる粘着シートの外面とに第３軸から略等しい半径で当接面が接触し、第１ローラー及び第２ローラーのいずれか一方の回転により回転されることでいずれか他方を回転させる伝達体と、を備える。【選択図】図１
2014018582.tif 000002
【特許請求の範囲】
【請求項１】
少なくとも一主表面が粘着面を形成する粘着シートを粘着面が外面を形成するように一端側から巻き取る、第１軸を中心に回転自在に支持される第１ローラーと、
粘着シートを粘着面が外面を形成するように他端側から巻き取る、第２軸を中心に回転自在に支持される第２ローラーと、
第３軸を中心に回転自在に支持され第３軸を軸とする回転面である当接面を有する伝達体であって、第１ローラーに巻き取られる粘着シートの外面と第２ローラーに巻き取られる粘着シートの外面とに第３軸から略等しい半径で当接面が接触し、第１ローラー及び第２ローラーのいずれか一方の回転により回転されることでいずれか他方を回転させる伝達体と、
を備えてなる、清掃具。
【請求項２】
第１ローラーと第２ローラーとの間に存する粘着シートの粘着面に伝達体の当接面が接触しつつ伝達体が回転するものである、請求項１に記載の清掃具。
【請求項３】
伝達体の当接面への粘着面の粘着力よりも、粘着シートの他主表面への粘着面の粘着力の方が強いものである、請求項２に記載の清掃具。
【請求項４】
第１ローラーに巻き取られる粘着シートの量及び第２ローラーに巻き取られる粘着シートの量の一方が減少し他方が増加しても、第１ローラーに巻き取られる粘着シートの外面と第２ローラーに巻き取られる粘着シートの外面とに当接面が接触した状態を保持するよう、第１軸及び第２軸に対する第３軸の相対的位置を調節する軸位置調節手段を備えるものである、請求項１乃至３のいずれか１に記載の清掃具。
【請求項５】
伝達体を第１ローラー及び第２ローラーに向けて押圧する押圧手段を有するものである、請求項４に記載の清掃具。
【請求項６】
第１軸と第２軸とが略平行であり、
第１ローラー及び第２ローラーを支持する本体部を備えてなり、
軸位置調節手段が、第１軸に略平行な第４軸の周りに回動自在に本体部に基端が取り付けられた基端側部材と、第４軸に略平行な第５軸の周りに回動自在に基端側部材の先端側に一端が取り付けられた先端側部材と、先端側部材の他端側に取り付けられ伝達体を支持する支持部材と、を有してなる、請求項４又は５に記載の清掃具。
【請求項７】
伝達体を第１ローラー及び第２ローラーに向けて押圧する押圧手段を有するものであり、
押圧手段が基端側部材を本体部に対して回動させる付勢手段である、請求項６に記載の清掃具。
【請求項８】
第１軸と第２軸とが略平行であり、第１軸と第２軸とが属する仮想上の平面である基準面への第３軸の正投影が第１軸と第２軸との間に存すると共に第１軸及び第２軸に略平行である、請求項１乃至７のいずれか１に記載の清掃具。
【請求項９】
第１軸と第２軸と第３軸とが略平行であり、伝達体が伝達ローラーである、請求項８に記載の清掃具。
【発明の詳細な説明】
【技術分野】
【０００１】
本発明は、清掃具に関し、より詳細には、両主表面のうち少なくとも一主表面が粘着面を形成する粘着シートの粘着面を被清掃面（例えば、絨毯の表面、衣服の表面等）に接触させることで、被清掃面に存するゴミや糸くず等の不要物を粘着面が粘着して除去する清掃具に関する。
【背景技術】
【０００２】
以前から、一主表面が粘着面を構成する粘着シートの粘着面を被清掃面に接触させ、被清掃面に存するゴミや糸くず等の不要物を粘着面が粘着し除去する清掃具が用いられてきた（例えば、特許文献１参照）。
特許文献１は、「従来は、ごみ取りローラーひとつでごみを取っていて、ごみが付きにくくなると爪で粘着テープを１枚１枚はがしていた。これは次のような欠点があった。ごみ取りローラーがひとつなのでごみが付きにくくなった時、粘着テープを１枚１枚爪で粘着テープをはがしていたので不衛生であり、面倒であった。」（特許文献１の段落番号０００２〜０００３）ことを解決するためになされた「柄部（６）の下部にごみ取りローラー（１）と巻き取りローラー（２）を設け、歯車４で連動させてごみ取りローラー（１）にごみが付きにくくなった時、粘着テープ（５）を切らずに巻き取りローラー（２）の方に巻き上げる。」（特許文献１の段落番号０００４）ことによって「ごみ取りローラー（１）をごみのある所でローリングさせてごみを取り、ごみが付きにくくなった粘着テープ（５）を切らずに巻き取りローラー（２）の方へ巻きあげるごみ取りローラー」（特許文献１の段落番号０００５）としたものである。
なお、本発明にいう「粘着シート」が特許文献１では「粘着テープ」に相当し、本発明にいう「清掃具」が特許文献１では「コロコロローラーツインズ」に相当する。
【先行技術文献】
【特許文献】
【０００３】
【特許文献１】実用新案登録第３０７７３３４号公報（例えば、要約、請求項１、考案の詳細な説明中の段落番号０００１〜０００５、第１図等）
【発明の概要】
【発明が解決しようとする課題】
【０００４】
特許文献１に開示の清掃具（コロコロローラーツインズ）においては、ごみ取りローラー（１）と巻き取りローラー（２）とを歯車（４）で連動させることで、ごみ取りローラー（１）と巻き取りローラー（２）との間で粘着シート（粘着テープ）を巻き出し及び巻き取りを行っていた。このような場合、ごみ取りローラー（１）に巻き取られている粘着シート（粘着テープ）の量と、巻き取りローラー（２）に巻き取られている粘着シート（粘着テープ）の量と、の一方が減少し他方が増加すると、歯車（４）によって一定の回転比率（通常は１：１）で互いに回転するごみ取りローラー（１）及び巻き取りローラー（２）の間にかけわたされた粘着シート（粘着テープ）が弛んだり逆に引き延ばされることで円滑な使用ができなくなる問題があった（即ち、ごみ取りローラー（１）と巻き取りローラー（２）との間で粘着シート（粘着テープ）が巻き出される長さと巻き取られる長さとが一致しない現象が生じ得る。）。
【０００５】
そこで、本発明では、第１ローラーに一端側から第２ローラーに他端側から巻き取られた粘着シートが、第１ローラーに巻き取られる粘着シートの量及び第２ローラーに巻き取られる粘着シートの量のバランスが変化しても、第１ローラーと第２ローラーとの間にかけわたされた粘着シートが弛んだり逆に引き延ばされることがない清掃具を提供することを目的とする。なお、特許文献１におけるごみ取りローラー（１）及び巻き取りローラー（２）の一方が本発明にいう第１ローラーに該当し他方が第２ローラーに該当する。
【課題を解決するための手段】
【０００６】
本発明の清掃具（以下、「本清掃具」という）は、少なくとも一主表面が粘着面を形成する粘着シートを粘着面が外面を形成するように一端側から巻き取る、第１軸を中心に回転自在に支持される第１ローラーと、粘着シートを粘着面が外面を形成するように他端側から巻き取る、第２軸を中心に回転自在に支持される第２ローラーと、第３軸を中心に回転自在に支持され第３軸を軸とする回転面である当接面を有する伝達体であって、第１ローラーに巻き取られる粘着シートの外面と第２ローラーに巻き取られる粘着シートの外面とに第３軸から略等しい半径で当接面が接触し、第１ローラー及び第２ローラーのいずれか一方の回転により回転されることでいずれか他方を回転させる伝達体と、を備えてなる、清掃具である。
【０００７】
本清掃具は、両主表面のうち少なくとも一主表面が粘着面を形成する粘着シートの粘着面を被清掃面（例えば、絨毯の表面、衣服の表面等）に接触させて、被清掃面に存するゴミや糸くず等の不要物を粘着面が粘着し除去することで被清掃面を清掃するものである。
本清掃具は、第１ローラーと、第２ローラーと、伝達体と、を備えてなる。
第１ローラーは、第１軸（仮想上の軸）を中心に回転自在に支持され、第１ローラーの外周面に粘着シートを粘着面（該一主表面）が外面を形成するように粘着シートの一端側から巻き取る。
第２ローラーは、第２軸（仮想上の軸）を中心に回転自在に支持され、第２ローラーの外周面に粘着シートを粘着面（該一主表面）が外面を形成するように粘着シートの他端側から巻き取る。これによって粘着シートは、一端側が第１ローラーに周回されると共に、他端側が第２ローラーに周回されることで、第１ローラーと第２ローラーとの間に架け渡される。
伝達体は、第３軸（仮想上の軸）を軸とする回転面である当接面を有すると共に、第３軸（仮想上の軸）を中心に回転自在に支持される。そして、伝達体の当接面は、第１ローラーに巻き取られる粘着シートの外面と、第２ローラーに巻き取られる粘着シートの外面と、の両外面に第３軸から略等しい半径で接触する（第１ローラーに巻き取られる粘着シートの外面と当接面との接触位置から第３軸までの距離と、第２ローラーに巻き取られる粘着シートの外面と当接面との接触位置から第３軸までの距離と、の両距離が略等しい）。これにより第１ローラー及び第２ローラーのいずれか一方が回転すると伝達体も第３軸を軸として回転し、その伝達体の回転により第１ローラー及び第２ローラーのいずれか他方が回転する。
こうすることで第１ローラー及び第２ローラーの一方に周回された粘着シートが巻き出される長さと同じ当接面の周長さ分だけ伝達体が回転し、その伝達体の回転に応じた当接面の周長さ分だけ粘着シートを巻き取るよう第１ローラー及び第２ローラーの他方を回転させるので、第１ローラー及び第２ローラーの一方から巻き出された長さの粘着シートを第１ローラー及び第２ローラーの他方が巻き取る。このため本清掃具は、第１ローラーに巻き取られる粘着シートの量及び第２ローラーに巻き取られる粘着シートの量のバランスが変化しても（第１ローラーに巻き取られる粘着シートの外面と当接面との接触位置から第１軸までの距離と、第２ローラーに巻き取られる粘着シートの外面と当接面との接触位置から第２軸までの距離と、が変化しても）、第１ローラー及び第２ローラーの一方から巻き出された長さの粘着シートを第１ローラー及び第２ローラーの他方が巻き取るので、第１ローラーと第２ローラーとの間にかけわたされた粘着シートが弛んだり逆に引き延ばされることがなく、円滑に使用し掃除することができる。
【０００８】
本清掃具においては、第１ローラーと第２ローラーとの間に存する粘着シートの粘着面に伝達体の当接面が接触しつつ伝達体が回転するもの（以下、「かけわたし粘着シート当接本清掃具」という）であってもよい。
このように第１ローラーと第２ローラーとの間にかけわたされた粘着シートの粘着面に伝達体の当接面が接触することで粘着面と当接面との間の粘着力により、そのかけわたされた粘着シートが伝達体に対して移動することに伴い伝達体を確実に回転させることができる。これにより第１ローラー及び第２ローラーの一方に周回された粘着シートが巻き出される長さと同じ当接面の周長さ分だけ伝達体を回転させ、その伝達体の回転に応じた当接面の周長さ分だけ粘着シートを巻き取るよう第１ローラー及び第２ローラーの他方を回転させることができるので、第１ローラー及び第２ローラーの一方から巻き出された長さの粘着シートを第１ローラー及び第２ローラーの他方が確実に巻き取るようにできる。即ち、こうすることで、一層確実に第１ローラーと第２ローラーとの間にかけわたされた粘着シートが弛んだり逆に引き延ばされることがなく円滑に使用し掃除することができる。
【０００９】
かけわたし粘着シート当接本清掃具の場合、伝達体の当接面への粘着面の粘着力よりも、粘着シートの他主表面への粘着面の粘着力の方が強いものであってもよい。
こうすることで第１ローラー及び第２ローラーの一方から巻き出された粘着シートの粘着面が伝達体の当接面に接触した後、第１ローラー及び第２ローラーの他方に巻き取られる際、伝達体の当接面に粘着面（一主表面）が接触している粘着シートの他主表面は、該他方に既に巻き取られている粘着シートの粘着面に接触する。即ち、第１ローラー及び第２ローラーの該他方に巻き取られる際の粘着シートは、一主表面の粘着面は伝達体の当接面に接触すると共に、他主表面は該他方に既に巻き取られている粘着シートの粘着面に接触するので、該他方に巻き取られる際の粘着シートの他主表面と該他方に既に巻き取られている粘着シートの粘着面との間の粘着力が、該他方に巻き取られる際の粘着シートの粘着面（一主表面）と伝達体の当接面との間の粘着力よりも強い方が、該他方に既に巻き取られている粘着シートの粘着面と該他方に巻き取られる際の粘着シートの他主表面との間の粘着力により該他方に巻き取られる際の粘着シートの粘着面が伝達体の当接面から剥離され該他方に巻き取られる際の粘着シートが該他方にうまく巻き取られることができる。
【００１０】
本清掃具においては、第１ローラーに巻き取られる粘着シートの量及び第２ローラーに巻き取られる粘着シートの量の一方が減少し他方が増加しても、第１ローラーに巻き取られる粘着シートの外面と第２ローラーに巻き取られる粘着シートの外面とに当接面が接触した状態を保持するよう、第１軸及び第２軸に対する第３軸の相対的位置を調節する軸位置調節手段を備えるもの（以下、「軸位置調節本清掃具」という）であってもよい。
第１ローラー及び第２ローラーの一方から粘着シートを巻きだし、第１ローラー及び第２ローラーの他方に巻き取ることで、第１ローラーに巻き取られる粘着シートの量及び第２ローラーに巻き取られる粘着シートの量の一方が減少し他方が増加するので（第１軸を中心とする半径と第２軸を中心とする半径とが変化する）、伝達体の当接面が当接すべき第１ローラーに巻き取られる粘着シートの外面と第２ローラーに巻き取られる粘着シートの外面との位置が変化する。このように第１ローラーに巻き取られる粘着シートの量及び第２ローラーに巻き取られる粘着シートの量のバランスが変化しても、第１ローラーに巻き取られる粘着シートの外面と第２ローラーに巻き取られる粘着シートの外面とに伝達体の当接面が接触した状態を保持することができるよう、第１軸及び第２軸に対する第３軸の相対的位置を調節する軸位置調節手段を備えるものであってもよい。軸位置調節手段は、第１ローラーに巻き取られる粘着シートの量及び第２ローラーに巻き取られる粘着シートの量の一方が減少し他方が増加すると伝達体の当接面が当接すべき粘着シートの両外面（第１ローラーに巻き取られる粘着シートの外面と第２ローラーに巻き取られる粘着シートの外面）はそれぞれ第１軸を中心とする半径と第２軸を中心とする半径とが変化するので、この両半径が変化しても両外面に伝達体の当接面が接触した状態を保持することができるように第１軸及び第２軸に対する第３軸の相対的位置を調節することができるようにすればよい。
【００１１】
軸位置調節本清掃具の場合、伝達体を第１ローラー及び第２ローラーに向けて押圧する押圧手段を有するものであってもよい。
こうすることで軸位置調節手段によって第１軸及び第２軸に対する第３軸の相対的位置を調節することができる状態において押圧手段が伝達体を第１ローラー及び第２ローラーに向けて押圧するので、第１ローラーに巻き取られる粘着シートの量及び第２ローラーに巻き取られる粘着シートの量のバランスが変化しても、第１ローラーに巻き取られる粘着シートの外面と第２ローラーに巻き取られる粘着シートの外面とに伝達体の当接面が接触した状態を確実に保持することができる。
【００１２】
軸位置調節本清掃具の場合、第１軸と第２軸とが略平行であり、第１ローラー及び第２ローラーを支持する本体部を備えてなり、軸位置調節手段が、第１軸に略平行な第４軸の周りに回動自在に本体部に基端が取り付けられた基端側部材と、第４軸に略平行な第５軸の周りに回動自在に基端側部材の先端側に一端が取り付けられた先端側部材と、先端側部材の他端側に取り付けられ伝達体を支持する支持部材と、を有してなるもの（以下、「３部材構成軸位置調節本清掃具」という）であってもよい。
本体部が、第１軸と第２軸とが略平行になるように第１ローラー及び第２ローラーを支持する。そして、軸位置調節手段が、本体部に基端が取り付けられた基端側部材と、基端側部材の先端側に一端が取り付けられた先端側部材と、先端側部材の他端側に取り付けられた支持部材と、を有してなる。基端側部材は、その基端が第１軸に略平行な第４軸の周りに回動自在に本体部に取り付けられており、先端側部材は、その一端が第４軸に略平行な第５軸の周りに回動自在に基端側部材の先端側に取り付けられており、そして支持部材は、先端側部材の他端側に取り付けられており、伝達体を支持する（支持部材による伝達体の支持は、支持部材と伝達体との間に別の部材を介在させて間接的に支持する場合と、支持部材と伝達体との間に別の部材を介在させず直接的に支持する場合と、のいずれであってもよい。）。このようにすることで軸位置調節手段を基端側部材と先端側部材と支持部材とによって簡単に構成できる。
【００１３】
３部材構成軸位置調節本清掃具の場合、伝達体を第１ローラー及び第２ローラーに向けて押圧する押圧手段を有するものであり、押圧手段が基端側部材を本体部に対して回動させる付勢手段であってもよい。
このように押圧手段が有する付勢手段により、第１軸に略平行な第４軸の周りに基端が回動自在に本体部に取り付けられた基端側部材を本体部に対して第４軸の周りに回動させることで、伝達体を第１ローラー及び第２ローラーに向けて押圧するようにでき、このように基端側部材を第４軸の周りに回動させる付勢手段（例えば、バネ、ゴム、錘等）によって押圧手段を容易かつ簡潔に構成できる。
【００１４】
本清掃具においては、第１軸と第２軸とが略平行であり、第１軸と第２軸とが属する仮想上の平面である基準面への第３軸の正投影が第１軸と第２軸との間に存すると共に第１軸及び第２軸に略平行であってもよい（以下、「３軸平行本清掃具」という）。
両主表面（一主表面及び他主表面）が長方形を略なす粘着シートを一端側から巻き取る第１ローラーが回転自在に支持される第１軸と、該粘着シートを他端側から巻き取る第２ローラーが回転自在に支持される第２軸と、は略平行である方が該粘着シートを円滑に両ローラーに巻き取ることができる。そしてこのような第１ローラーに巻き取られる粘着シートの外面と第２ローラーに巻き取られる粘着シートの外面とに伝達体の当接面をうまく接触させるためには、このような互いに略平行な第１軸と第２軸とが属する仮想上の平面である基準面への第３軸の正投影が第１軸と第２軸との間に存すると共に基準面において第１軸及び第２軸に該正投影が略平行であるようにしてもよい（基準面に存する長方形の互いに略平行な一対の辺の一方を第１軸が含み、他方を第２軸が含み、そして該長方形を該正投影が横断するようにしてもよい。）。
【００１５】
３軸平行本清掃具の場合、第１軸と第２軸と第３軸とが略平行であり、伝達体が伝達ローラーであってもよい。
伝達体としてローラー（円柱の側面部分が当接面を構成する）を用い、第１軸と第２軸と第３軸とを略平行に配置することで、第１ローラーに巻き取られる粘着シートの外面と第２ローラーに巻き取られる粘着シートの外面とに伝達体（伝達ローラー）の当接面が接触した状態をうまく保持することができる。
【図面の簡単な説明】
【００１６】
【図１】本発明の一実施形態に係る本清掃具を示す正面図である。
【図２】本清掃具を示す側面図である。
【図３】本清掃具を示す平面図である。
【図４】図３のＡ−Ａ端面図である。
【図５】図３のＥ−Ｅ断面図である。
【図６】長い粘着シートを周回（巻き取る）させた第１ローラーを取り付けた状態の端面図である。
【図７】ほとんどの粘着シートが第１ローラーから巻き出され第２ローラーに巻き取られた状態の端面図である。
【発明を実施するための形態】
【００１７】
以下、本発明の実施の形態を図面を参照して説明する。しかしながら、これらによって本発明は何ら制限されるものではない。
【００１８】
図１は、本発明の一実施形態に係る本清掃具１１を示す正面図であり、図２は本清掃具１１を示す側面図（図１中、矢印Ｃ方向から見たところを示している）であり、図３は本清掃具１１を示す平面図（図１中、矢印Ｄ方向から見たところを示している）であり、そして図４は図３のＡ−Ａ端面図である。図１乃至図４を参照して、本清掃具１１について説明する。
本清掃具１１は、大まかには、一対の支持棒２１ａ、２１ｂと、一対の支持棒２１ａ、２１ｂの間を連結する互いに略平行に配設された連結棒３１、３３、３５と、連結棒３１によって回転自在に支持される第１ローラー４１と、連結棒３３によって回転自在に支持される第２ローラー４３と、連結棒３５に回動可能に取り付けられた伝達ローラ支持部５１と、伝達ローラ支持部５１によって回転自在に支持される伝達ローラー支持軸６３と、伝達ローラー支持軸６３に回転自在に支持される一方伝達ローラー本体部６５ａ及び他方伝達ローラー本体部６５ｂと、連結棒３５に対して伝達ローラ支持部５１を第１ローラー４１及び第２ローラー４３の方向（図１中、矢印Ｆ方向）に回動させるように伝達ローラ支持部５１に力を加える回動バネ７１と、連結棒３５に回動不可能に取り付けられた把持部９１と、を備えてなる。
【００１９】
一対の支持棒２１ａ、２１ｂは、いずれも真っ直ぐな棒状（詳しくは角棒状）の同形状及び同じ寸法の金属部材から形成されており、ここでは支持棒２１ａ、２１ｂの互いの長手方向が略平行になるように配設されている（ここでは支持棒２１ａ、２１ｂは、仮想上の長方形の一対の平行な２辺に沿うように配置されている）。
後述するように、支持棒２１ａ、２１ｂには、連結棒３１、３３、３５が貫通する貫通孔が穿設されている。
【００２０】
連結棒３１、３３、３５は、いずれも真っ直ぐな棒状（詳しくは丸棒状）の同形状及び同じ寸法の金属部材から形成されており、ここでは連結棒３１、３３、３５の互いの長手方向が略平行になるように配設されている。連結棒３１、３３、３５は、細長い円柱形状をなす棒本体３１ａ、３３ａ、３５ａと、棒本体３１ａ、３３ａ、３５ａの一端に略六角柱形状に形成された頭部３１ｂ、３３ｂ、３５ｂと、棒本体３１ａ、３３ａ、３５ａの他端側に螺刻された雄ねじに螺合する取付ナット３１ｃ、３３ｃ、３５ｃと、を有してなる。
連結棒３１、３３、３５は、いずれも棒本体３１ａ、３３ａ、３５ａが支持棒２１ａ、２１ｂに形成された貫通孔を貫通し（詳しくは、棒本体３１ａ、３３ａ、３５ａのうち頭部３１ｂ、３３ｂ、３５ｂ側（前記一端側）が支持棒２１ａに形成された貫通孔を貫通すると共に、棒本体３１ａ、３３ａ、３５ａのうち頭部３１ｂ、３３ｂ、３５ｂとは反対側（前記他端側）が支持棒２１ｂに形成された貫通孔を貫通している。）、頭部３１ｂ、３３ｂ、３５ｂは支持棒２１ａに形成された貫通孔を通過不可能に形成され、そして取付ナット３１ｃ、３３ｃ、３５ｃは支持棒２１ｂに形成された貫通孔を通過不可能に形成されている。なお、図５は、図３のＥ−Ｅ断面図であるが、図５に示すように棒本体３１ａの他端近傍には小径部分３１ｓが形成され（支持棒２１ｂに形成された貫通孔２１ｂｈは、小径部分３１ｓを貫通させる小径孔２１ｂｈ２と、小径部分３１ｓ以外の棒本体３１ａを貫通させる大径孔２１ｂｈ１と、を含んでなる。）、その小径部分３１ｓの外面に螺刻された雄ねじに取付ナット３１ｃ（雌ねじ）が螺合することで連結棒３１と支持棒２１ｂとが取り付けられている（棒本体３３ａと支持棒２１ｂと取付ナット３３ｃとの取付構造と、棒本体３５ａと支持棒２１ｂと取付ナット３５ｃとの取付構造と、のいずれもこれと同様になっている。）。なお、取付ナット３１ｃ、３３ｃ、３５ｃを棒本体３１ａ、３３ａ、３５ａから取り外せば、棒本体３１ａ、３３ａ、３５ａから支持棒２１ｂを取り外すことができるので、後述する第１ローラー４１や第２ローラー４３を適宜交換等することができる。また、ここでは取付ナット３１ｃ、３３ｃ、３５ｃを棒本体３１ａ、３３ａ、３５ａから着脱することで、棒本体３１ａ、３３ａ、３５ａから支持棒２１ｂを着脱するようにしたが、棒本体３１ａ、３３ａ、３５ａと支持棒２１ｂとが互いに係止したり取り外すことが自由に行えるようにしてもよい（例えば、棒本体３１ａ、３３ａ、３５ａの他端側に形成された棒係合手段と、支持棒２１ｂに形成された棒係合手段に係脱可能な支持棒係合手段と、を用い、棒係合手段と支持棒係合手段とが、スナップ係合等のように着脱自在に係合するようにしてもよい。）。
以上のようにして、仮想上の長方形の一対の平行な２辺に沿うように支持棒２１ａ、２１ｂが配置されると共に、該長方形の４辺のうち該一対の平行な２辺を除く他の一対の２辺に略平行になるように連結棒３１、３３、３５が配置されている（連結棒３１、３３、３５と支持棒２１ａ、２１ｂとは該長方形が存する平面に略存在している。）。
【００２１】
第１ローラー４１は、合成樹脂製の直円柱形状を有するものであり、該直円柱の軸に沿って棒本体３１ａを貫入するための軸貫入穴４１ｈ（該直円柱の軸を軸とする直円柱形状）が形成されている。この軸貫入穴４１ｈに連結棒３１の棒本体３１ａが貫入されることで、連結棒３１の棒本体３１ａにより第１ローラー４１は回転自在に支持されている。
第２ローラー４３は、合成樹脂製の直円柱形状を有するものであり、該直円柱の軸に沿って棒本体３３ａを貫入するための軸貫入穴４３ｈ（該直円柱の軸を軸とする直円柱形状）が形成されている。この軸貫入穴４３ｈに連結棒３３の棒本体３３ａが貫入されることで、連結棒３３の棒本体３３ａにより第２ローラー４３は回転自在に支持されている。
第２ローラー４３は第１ローラー４１と同形状及び同じ寸法の同一物を用いている（これにより第２ローラー４３と第１ローラー４１とを区別する必要がなく使用できる）。
【００２２】
伝達ローラー支持軸６３は、支持軸６３ａと、支持軸６３ａの両端近傍に螺刻された雄ねじ部分に螺合するローラ固定ネジ６３ｂａ、６３ｂｂと、を有してなる。支持軸６３ａは、金属製の真っ直ぐな丸棒部材により形成されており、前述の通り、支持軸６３ａの両端近傍にはローラ固定ネジ６３ｂａ、６３ｂｂを螺合させる雄ねじ部分が形成されている。ローラ固定ネジ６３ｂａ、６３ｂｂは、支持軸６３ａの両端近傍に形成された雄ねじ部分に螺合する金属製の雌ねじ部材（ナット部材）である。
【００２３】
伝達ローラ支持部５１は、基端が連結棒３５に対して回動自在に取り付けられた第１部分５５と、第１部分５５の先端に回動自在に一端（ここでは上端）近傍が取り付けられた第２部分５３と、第２部分５３の他端（ここでは下端）に取り付けられ支持軸６３ａが貫通する筒部５７と、を含んでなる。
第１部分５５は、連結棒３５が貫通するスリーブ部５５ｓと、スリーブ部５５ｓに基端が取り付けられた腕部５５ａと、を有しており、連結棒３５に対してスリーブ部５５ｓが回動自在であることから第１部分５５は連結棒３５に対して回動自在に取り付けられている。腕部５５ａは、一カ所が約６０度程度に折れ曲がった丸棒部材によって形成されている。
第２部分５３は、その一端（ここでは上端）近傍がボルトナット５２によって回動自在に第１部分５５（腕部５５ａ）の先端に取り付けられると共に、その他端（ここでは下端）に筒部５７が取り付けられている。
筒部５７は、支持軸６３ａを回転自在に貫入させるものであり、これによって伝達ローラー支持軸６３（支持軸６３ａ）は回転自在に支持されている。なお、第１部分５５の連結棒３５に対する回動中心軸（仮想）と、第２部分５３の第１部分５５に対する回動中心軸（仮想）と、支持軸６３ａの筒部５７に対する回転中心軸（仮想）と、第１ローラー４１の回転中心軸（棒本体３１ａの中心軸）と、第２ローラー４３の回転中心軸（棒本体３３ａの中心軸）と、は互いに略平行になっている。
【００２４】
一方伝達ローラー本体部６５ａ及び他方伝達ローラー本体部６５ｂは、いずれも同形状及び同じ寸法の同一のものを用いており、合成樹脂製の直円柱形状を有する芯部分６６ｃと、芯部分６６ｃがなす該直円柱の側面部分に沿って設けられた表面部分６６ｄと、を含んでなる（特に、図４参照）。芯部分６６ｃの半径や材質は第２ローラー４３及び第１ローラー４１のものと同様であり、芯部分６６ｃが形成する該直円柱の軸に沿って支持軸６３ａを貫入するための軸貫入穴６６ｈ（芯部分６６ｃが形成する該直円柱の軸を軸とする直円柱形状）が芯部分６６ｃに形成されている。この軸貫入穴６６ｈに支持軸６３ａが貫入されることで、伝達ローラー支持軸６３の支持軸６３ａにより一方伝達ローラー本体部６５ａ及び他方伝達ローラー本体部６５ｂは回転自在に支持されている。なお、伝達ローラー支持軸６３の支持軸６３ａのほぼ中央部分が筒部５７に回転自在に貫入されており、支持軸６３ａの筒部５７に対して一方側の部分に一方伝達ローラー本体部６５ａが回転自在に支持され、ローラ固定ネジ６３ｂａによって一方伝達ローラー本体部６５ａが支持軸６３ａの一方側から脱落することを防止すると共に、支持軸６３ａの筒部５７に対して他方側の部分には他方伝達ローラー本体部６５ｂが回転自在に支持され、ローラ固定ネジ６３ｂｂによって他方伝達ローラー本体部６５ｂが支持軸６３ａの他方側から脱落することを防止している。
伝達ローラー本体部６５ａ、６５ｂの表面６５ｓは後述する粘着シート８１の粘着面８２と接触しても容易に剥離可能でなければならないため、表面６５ｓを形成する表面部分６６ｄは表面６５ｓの剥離性を向上させるため材質（ここではシリコンゴム）によって形成されている。
【００２５】
回動バネ７１は、連結棒３５に外嵌されたコイル状のバネであり、第１部分５５を連結棒３５に対して第１ローラー４１及び第２ローラー４３の方向（図１中、矢印Ｆ方向）に回動させるように力を加える。これによって第２部分５３及び筒部５７を経て支持軸６３ａに第１ローラー４１及び第２ローラー４３の方向に向いた力が加わるので、支持軸６３ａに支持された一方伝達ローラー本体部６５ａ及び他方伝達ローラー本体部６５ｂの表面６５ｓが第１ローラー４１及び第２ローラー４３の方向に押しつけられる。これによって第１ローラー４１又はそれに巻き取られた粘着シート８１の外面（粘着面８２）と、第２ローラー４３又はそれに巻き取られた粘着シート８１の外面（粘着面８２）と、に一方伝達ローラー本体部６５ａ及び他方伝達ローラー本体部６５ｂの表面６５ｓが確実に接触する（これにより第１ローラー４１の回転が、一方伝達ローラー本体部６５ａ及び他方伝達ローラー本体部６５ｂを介して第２ローラー４３に伝えられ、第１ローラー４１の回転に応じて第２ローラー４３をうまく回転させることができる。）。
【００２６】
把持部９１は、連結棒３５に回動不可能に取り付けられており、把持本体部９３を本清掃具１１の使用者（不図示）が手で把持することで、本清掃具１１を容易かつ便利に使用することができる。
【００２７】
かかる本清掃具１１は、まず図６（図４と同じ端面を示している）に示すように、長い粘着シート８１を周回（巻き取る）させた第１ローラー４１を取り付ける。第１ローラー４１の取付は、前述の如く、取付ナット３１ｃ、３３ｃ、３５ｃを棒本体３１ａ、３３ａ、３５ａから取り外して棒本体３１ａ、３３ａ、３５ａから支持棒２１ｂを取り外した状態において、長い粘着シート８１を周回させた第１ローラー４１に棒本体３１ａを貫入した後、再び棒本体３１ａ、３３ａ、３５ａに支持棒２１ｂを取り付け、取付ナット３１ｃ、３３ｃ、３５ｃを棒本体３１ａ、３３ａ、３５ａに螺合させればよい（第１ローラー４１を交換する際、必要に応じて第２ローラー４３も交換してもよい。）。
このように長い粘着シート８１を周回させた第１ローラー４１を棒本体３１ａに支持させた後、第１ローラー４１に周回された粘着シート８１を巻きだして第２ローラー４３に周回させる（第１ローラー４１と第２ローラー４３とに粘着シート８１を架け渡す）。
そして、一方伝達ローラー本体部６５ａ及び他方伝達ローラー本体部６５ｂの表面６５ｓを、第１ローラー４１に周回された粘着シート８１の外面（粘着面８２）と、第２ローラー４３に周回された粘着シート８１の外面（粘着面８２）と、に接触させる（図６に示すように、第１ローラー４１と第２ローラー４３とに架け渡された粘着シート８１の外面（粘着面８２）にも一方伝達ローラー本体部６５ａ及び他方伝達ローラー本体部６５ｂの表面６５ｓが接触する。）。このとき前述のように、回動バネ７１が第１部分５５を第１ローラー４１及び第２ローラー４３の方向（図１中、矢印Ｆ方向）に回動させるように力を加えるので、支持軸６３ａに支持された一方伝達ローラー本体部６５ａ及び他方伝達ローラー本体部６５ｂの表面６５ｓが第１ローラー４１及び第２ローラー４３の方向に押しつけられ、第１ローラー４１に周回された粘着シート８１の外面（粘着面８２）と、第２ローラー４３に周回された粘着シート８１の外面（粘着面８２）と、に一方伝達ローラー本体部６５ａ及び他方伝達ローラー本体部６５ｂの表面６５ｓが確実に接触する。
この状態が図６に示す状態である。
【００２８】
図６に示す状態から、把持本体部９３を本清掃具１１の使用者（不図示）が手で把持する等して、第１ローラー４１に周回された粘着シート８１の粘着面８２が被清掃面２０１（例えば、絨毯の表面、衣服の表面等）に接触する状態で本清掃具１１を被清掃面２０１に対して把持本体部９３方向（図６中、矢印Ｇ方向）に移動させると、被清掃面２０１に存するゴミや糸くず等の不要物を粘着面８２が粘着除去しつつ、第１ローラー４１は図６中の矢印Ｇ１方向に回転する。第１ローラー４１の図６中の矢印Ｇ１方向への回転は、第１ローラー４１に周回された粘着シート８１の外面（粘着面８２）に接触している一方伝達ローラー本体部６５ａ及び他方伝達ローラー本体部６５ｂを回転（図６中、矢印Ｇ２方向）させ、さらに一方伝達ローラー本体部６５ａ及び他方伝達ローラー本体部６５ｂの表面６５ｓが第２ローラー４３に周回された粘着シート８１の外面（粘着面８２）に接触しているので、第１ローラー４１の回転に応じて第２ローラー４３をうまく回転（図６中、矢印Ｇ３方向）させることができる。この第１ローラー４１の回転に応じた第２ローラー４３の回転によって、第１ローラー４１が図６中の矢印Ｇ１方向に回転することで第１ローラー４１から巻き出された粘着シート８１を丁度巻き取る量の第２ローラー４３の回転を生じさせる。これにより第１ローラー４１に周回された粘着シート８１は被清掃面２０１に接触した後、第１ローラー４１から巻き出されつつ第２ローラー４３に巻き取られる。
【００２９】
そして、被清掃面２０１に既に接触した後の粘着シート８１の粘着面８２が被清掃面２０１に接触し清掃可能な粘着力をまだ保持している場合には、第１ローラー４１に周回された粘着シート８１の粘着面８２を被清掃面２０１に接触させて矢印Ｇとは反対方向に本清掃具１１を被清掃面２０１に対し移動させれば、第２ローラー４３から粘着シート８１を巻き出しつつ第１ローラー４１が粘着シート８１を巻き取る。即ち、第１ローラー４１に周回された粘着シート８１の粘着面８２を被清掃面２０１に接触させて矢印Ｇとは反対方向に本清掃具１１を被清掃面２０１に対し移動させれば、第１ローラー４１は図６中の矢印Ｇ１とは反対方向に回転し、第１ローラー４１に周回された粘着シート８１の外面（粘着面８２）に接触している一方伝達ローラー本体部６５ａ及び他方伝達ローラー本体部６５ｂを回転（図６中、矢印Ｇ２とは反対方向）させ、さらに一方伝達ローラー本体部６５ａ及び他方伝達ローラー本体部６５ｂの表面６５ｓが第２ローラー４３に周回された粘着シート８１の外面（粘着面８２）に接触しているので、第１ローラー４１の回転に応じた第２ローラー４３の回転（図６中、矢印Ｇ３とは反対方向）によって第１ローラー４１が巻き取る量の粘着シート８１を丁度巻き出す量の第２ローラー４３の回転を生じさせる。これにより第２ローラー４３に巻き取られた粘着シート８１を再び被清掃面２０１に接触させた後、第１ローラー４１に巻き取ることができる。
【００３０】
このように粘着シート８１の粘着面８２が被清掃面２０１に接触することで清掃可能な粘着力を保持している間は、本清掃具１１を矢印Ｇ方向及びその反対方向に往復移動させることで被清掃面２０１を清掃することができる。そして、粘着シート８１の粘着面８２が清掃可能な粘着力を失った場合には、第１ローラー４１に周回された粘着シート８１の粘着面８２が被清掃面２０１に接触する状態で本清掃具１１を被清掃面２０１に対して把持本体部９３方向（図６中、矢印Ｇ方向）に移動させ、第１ローラー４１を図６中の矢印Ｇ１方向に回転させて、まだ被清掃面２０１に接触していない新しい粘着面８２が被清掃面２０１に接触するようにすればよい。もっとも、粘着シート８１の粘着面８２が被清掃面２０１に一度接触することにより清掃可能な所望の粘着力を失うような場合には、本清掃具１１を矢印Ｇ方向及びその反対方向に往復させる必要は必ずしもなく、本清掃具１１を矢印Ｇ方向のみに移動させ、粘着シート８１の新しい粘着面８２が被清掃面２０１に常に接触するように使用してもよい。
【００３１】
このように粘着シート８１を被清掃面２０１に接触させ使用しつつ第１ローラー４１から巻き出し第２ローラー４３に巻き取ることで、図６の状態から図４の状態を経て図７の状態に至る。この図６、図４そして図７の状態と変化する間、第１ローラー４１に周回されている粘着シート８１の量と、第２ローラー４３に周回されている粘着シート８１の量と、が一方が減少すれば他方が増加する（具体的には、第１ローラー４１に粘着シート８１が周回されたものの半径と、第２ローラー４３に粘着シート８１が周回されたものの半径と、が一方が減少すれば他方が増加する。）。このような両ローラ４１、４３に周回された粘着シート８１の増減が生じても、伝達ローラ支持部５１の第１部分５５が連結棒３５に対して回動自在であることに加え、伝達ローラ支持部５１の第１部分５５に対して第２部分５３が回動自在にされていることで、一方伝達ローラー本体部６５ａ及び他方伝達ローラー本体部６５ｂの表面６５ｓが、第１ローラー４１に周回された粘着シート８１の外面（粘着面８２）と、第２ローラー４３に周回された粘着シート８１の外面（粘着面８２）と、の両面に安定して接触する（換言すれば、支持軸６３ａに支持された一方伝達ローラー本体部６５ａ及び他方伝達ローラー本体部６５ｂが回動バネ７１によって第１ローラー４１及び第２ローラー４３の方向に押しつけられるので、第１部分５５に対する第２部分５３の回動により、第１ローラー４１に周回された粘着シート８１の外面（粘着面８２）と、第２ローラー４３に周回された粘着シート８１の外面（粘着面８２）と、によって形成される谷間に一方伝達ローラー本体部６５ａ及び他方伝達ローラー本体部６５ｂがうまくはまり込むように位置調整される。）。
図７の状態では、被清掃面２０１に接触した後の粘着シート８１が、第１ローラー４１から巻き出されて第２ローラー４３に巻き取られることで、ほとんどの粘着シート８１が第２ローラー４３に巻き取られている（図６においてはほとんどが第１ローラー４１に周回されていた粘着シート８１が、図７においてはほとんどが第２ローラー４３に巻き取られている。）。
図７の状態からさらに第１ローラー４１に周回されている粘着シート８１を巻き出して第２ローラー４３に巻き取っていき、第１ローラー４１に周回されている粘着シート８１が無くなれば、再び図６のように第１ローラー４１及び第２ローラー４３を交換する。前述の如く、取付ナット３１ｃ、３３ｃ、３５ｃを棒本体３１ａ、３３ａ、３５ａから取り外した後、棒本体３１ａ、３３ａ、３５ａから支持棒２１ｂを取り外し、長い粘着シート８１を周回させた第１ローラー４１と、粘着シート８１を周回していない第２ローラー４３と、を取り付ける。その後、棒本体３１ａ、３３ａ、３５ａに支持棒２１ｂを取り付けて取付ナット３１ｃ、３３ｃ、３５ｃを棒本体３１ａ、３３ａ、３５ａに螺合させればよい。このようにして再び本清掃具１１を使用に供することができる。
なお、ここでは新しい粘着シート８１を第１ローラー４１に周回させ、使用済みの粘着シート８１を第２ローラー４３に巻き取るようにしたが、これとは逆に、新しい粘着シート８１を第２ローラー４３に周回させ、使用済みの粘着シート８１を第１ローラー４１に巻き取るようにしてよいことは言うまでもない。
【００３２】
以上の通り、本清掃具１１は、少なくとも一主表面が粘着面８２を形成する粘着シート８１を粘着面８２が外面を形成するように一端側から巻き取る、第１軸（ここでは第１ローラー４１の回転中心軸（棒本体３１ａの中心軸））を中心に回転自在に支持される第１ローラー４１と、粘着シート８１を粘着面８２が外面を形成するように他端側から巻き取る、第２軸（ここでは第２ローラー４３の回転中心軸（棒本体３３ａの中心軸））を中心に回転自在に支持される第２ローラー４３と、第３軸（ここでは一方伝達ローラー本体部６５ａ及び他方伝達ローラー本体部６５ｂの回転中心軸（伝達ローラー支持軸６３（支持軸６３ａ）の中心軸））を中心に回転自在に支持され第３軸（一方伝達ローラー本体部６５ａ及び他方伝達ローラー本体部６５ｂの回転中心軸）を軸とする回転面（ここでは直円柱の側面部分）である当接面（表面６５ｓ）を有する伝達体（ここでは一方伝達ローラー本体部６５ａ、他方伝達ローラー本体部６５ｂ）であって、第１ローラー４１に巻き取られる粘着シート８１の外面（ここでは粘着面８２）と第２ローラー４３に巻き取られる粘着シート８１の外面（ここでは粘着面８２）とに第３軸（一方伝達ローラー本体部６５ａ及び他方伝達ローラー本体部６５ｂの回転中心軸）から略等しい半径で当接面（表面６５ｓ）が接触し、第１ローラー４１及び第２ローラー４３のいずれか一方（例えば、第１ローラー４１）の回転により回転されることでいずれか他方（例えば、第２ローラー４３）を回転させる伝達体（一方伝達ローラー本体部６５ａ、他方伝達ローラー本体部６５ｂ）と、を備えてなる、清掃具である。
【００３３】
本清掃具１１においては、第１ローラー４１と第２ローラー４３との間に存する粘着シート８１の粘着面８２に伝達体（一方伝達ローラー本体部６５ａ、他方伝達ローラー本体部６５ｂ）の当接面（表面６５ｓ）が接触しつつ伝達体（一方伝達ローラー本体部６５ａ、他方伝達ローラー本体部６５ｂ）が回転するものである。
本清掃具１１においては、伝達体（一方伝達ローラー本体部６５ａ、他方伝達ローラー本体部６５ｂ）の当接面（表面６５ｓ。なお、表面６５ｓは剥離性のよい材質（ここではシリコンゴム）により形成されている）への粘着面８２の粘着力よりも、粘着シート８１の他主表面への粘着面８２の粘着力の方が強いものである。
【００３４】
本清掃具１１においては、第１ローラー４１に巻き取られる粘着シート８１の量及び第２ローラー４３に巻き取られる粘着シート８１の量の一方が減少し他方が増加しても、第１ローラー４１に巻き取られる粘着シート８１の外面と第２ローラー４３に巻き取られる粘着シート８１の外面とに当接面（表面６５ｓ）が接触した状態を保持するよう、第１軸（第１ローラー４１の回転中心軸（棒本体３１ａの中心軸））及び第２軸（第２ローラー４３の回転中心軸（棒本体３３ａの中心軸））に対する第３軸（一方伝達ローラー本体部６５ａ及び他方伝達ローラー本体部６５ｂの回転中心軸（伝達ローラー支持軸６３（支持軸６３ａ）の中心軸））の相対的位置を調節する軸位置調節手段（ここでは伝達ローラ支持部５１）を備えるものである。なお、伝達ローラ支持部５１は、基端が連結棒３５に対して回動自在に取り付けられた第１部分５５と、第１部分５５の先端に回動自在に一端（ここでは上端）近傍が取り付けられた第２部分５３と、第２部分５３の他端（ここでは下端）に取り付けられ支持軸６３ａが貫通する筒部５７と、を有してなる。
【００３５】
本清掃具１１においては、伝達体（一方伝達ローラー本体部６５ａ、他方伝達ローラー本体部６５ｂ）を第１ローラー４１及び第２ローラー４３に向けて押圧する押圧手段（ここでは回動バネ７１）を有するものである。
本清掃具１１においては、第１軸（第１ローラー４１の回転中心軸（棒本体３１ａの中心軸））と第２軸（第２ローラー４３の回転中心軸（棒本体３３ａの中心軸））とが略平行であり、第１ローラー４１及び第２ローラー４３を支持する本体部（ここでは一対の支持棒２１ａ、２１ｂと連結棒３１、３３、３５とを含んで構成されている）を備えてなり、軸位置調節手段（伝達ローラ支持部５１）が、第１軸（第１ローラー４１の回転中心軸（棒本体３１ａの中心軸））に略平行な第４軸（ここでは連結棒３５の中心軸）の周りに回動自在に本体部（一対の支持棒２１ａ、２１ｂと連結棒３１、３３、３５とを含む）に基端が取り付けられた基端側部材（ここでは第１部分５５）と、第４軸（ここでは連結棒３５の中心軸）に略平行な第５軸（ここではボルトナット５２のボルト）の周りに回動自在に基端側部材（第１部分５５）の先端側に一端が取り付けられた先端側部材（ここでは第２部分５３）と、先端側部材（第２部分５３）の他端側に取り付けられ伝達体（一方伝達ローラー本体部６５ａ、他方伝達ローラー本体部６５ｂ）を支持する支持部材（ここでは筒部５７）と、を有してなる。
本清掃具１１においては、伝達体（一方伝達ローラー本体部６５ａ、他方伝達ローラー本体部６５ｂ）を第１ローラー４１及び第２ローラー４３に向けて押圧する押圧手段（ここでは回動バネ７１）を有するものであり、押圧手段が基端側部材（ここでは第１部分５５）を本体部（一対の支持棒２１ａ、２１ｂと連結棒３１、３３、３５とを含む）に対して回動させる付勢手段（ここでは回動バネ７１）である。
【００３６】
本清掃具１１においては、第１軸（第１ローラー４１の回転中心軸（棒本体３１ａの中心軸））と第２軸（第２ローラー４３の回転中心軸（棒本体３３ａの中心軸））とが略平行であり、第１軸（第１ローラー４１の回転中心軸（棒本体３１ａの中心軸））と第２軸（第２ローラー４３の回転中心軸（棒本体３３ａの中心軸））とが属する仮想上の平面である基準面への第３軸（一方伝達ローラー本体部６５ａ及び他方伝達ローラー本体部６５ｂの回転中心軸（伝達ローラー支持軸６３（支持軸６３ａ）の中心軸））の正投影が第１軸（第１ローラー４１の回転中心軸（棒本体３１ａの中心軸））と第２軸（第２ローラー４３の回転中心軸（棒本体３３ａの中心軸））との間に存すると共に第１軸（第１ローラー４１の回転中心軸（棒本体３１ａの中心軸））及び第２軸（第２ローラー４３の回転中心軸（棒本体３３ａの中心軸））に略平行である。なお、軸位置調節手段（伝達ローラ支持部５１）は、該基準面において第１軸（第１ローラー４１の回転中心軸（棒本体３１ａの中心軸））と該正投影との間の距離と、該基準面において第２軸（第２ローラー４３の回転中心軸（棒本体３３ａの中心軸））と該正投影との間の距離と、の一方の距離と他方の距離とを増減可能に第１軸及び第２軸に対する第３軸の相対的位置を調節する。
本清掃具１１においては、第１軸（第１ローラー４１の回転中心軸（棒本体３１ａの中心軸））と第２軸（第２ローラー４３の回転中心軸（棒本体３３ａの中心軸））と第３軸（一方伝達ローラー本体部６５ａ及び他方伝達ローラー本体部６５ｂの回転中心軸（伝達ローラー支持軸６３（支持軸６３ａ）の中心軸））とが略平行であり、伝達体が伝達ローラー（一方伝達ローラー本体部６５ａ、他方伝達ローラー本体部６５ｂ）である。
【符号の説明】
【００３７】
１１                    本清掃具
２１ａ、２１ｂ          支持棒
２１ｂｈ                貫通孔
２１ｂｈ１              大径孔
２１ｂｈ２              小径孔
３１、３３、３５        連結棒
３１ａ、３３ａ、３５ａ  棒本体
３１ｂ、３３ｂ、３５ｂ  頭部
３１ｃ、３３ｃ、３５ｃ  取付ナット
３１ｓ                  小径部分
４１                    第１ローラー
４１ｈ                  軸貫入穴
４３                    第２ローラー
４３ｈ                  軸貫入穴
５１                    伝達ローラ支持部
５２                    ボルトナット
５３                    第２部分
５５                    第１部分
５５ａ                  腕部
５５ｓ                  スリーブ部
５７                    筒部
６３                    伝達ローラー支持軸
６３ａ                  支持軸
６３ｂａ、６３ｂｂ      ローラ固定ネジ
６５ａ                  一方伝達ローラー本体部
６５ｂ                  他方伝達ローラー本体部
６５ｓ                  表面
６６ｃ                  芯部分
６６ｄ                  表面部分
６６ｈ                  軸貫入穴
７１                    回動バネ
８１                    粘着シート
８２                    粘着面
９１                    把持部
９３                    把持本体部
２０１                    被清掃面
【図１】
2014018582.tif 000003
【図２】
2014018582.tif 000004
【図３】
2014018582.tif 000005
【図４】
2014018582.tif 000006
【図５】
2014018582.tif 000007
【図６】
2014018582.tif 000008
【図７】
2014018582.tif 000009